(57)【要約】【課題】構成部品の劣化を少なくすることができる照明装置を提供する。【解決手段】照明装置１は、光源から出射された光を、一方の端部８０ａから導入して、導光中に側面８０ｂから外部に放出する光ファイバ８０と、光ファイバ８０の側面８０ｂを、側面８０ｂとの間に隙間１０２を介して覆う透光性を有するチューブ５０と、チューブ５０の内部に少なくとも一部が位置し、光ファイバ８０の他方の端部８０ｃを、端部８０ｃとの間に空間を介して覆う遮光性を有する筒体９０とを備えている。筒体９０の側面９１に、光ファイバ８０の他方の端部８０ｃから放出された光を筒体９０の径方向の外側に位置するチューブ５０へ導光する導光部１００が設けられている。【選択図】図１
2018060602.tif 000002
【特許請求の範囲】
【請求項１】
光源から出射された光を、一方の端部から導入して、導光中に側面から外部に放出する光ファイバと、
前記光ファイバの側面を、該側面との間に隙間を介して覆う透光性を有するチューブと、
前記チューブの内部に少なくとも一部が位置し、前記光ファイバの他方の端部を、該端部との間に空間を介して覆う遮光性を有する筒体と、を備え、
前記筒体の側面には、前記光ファイバの他方の端部から放出された光を前記筒体の径方向の外側に位置する前記チューブへ導光する導光部が設けられた照明装置。
【請求項２】
前記筒体は、前記光ファイバの他方の端部から離れた位置が閉口されている請求項１に記載の照明装置。
【請求項３】
前記導光部は、前記筒体の側面を径方向に貫通した孔を有する請求項２に記載の照明装置。
【請求項４】
前記筒体は、アルミニウム又はアルミニウム合金からなる請求項１から請求項３のいずれか一項に記載の照明装置。
【請求項５】
前記チューブは、前記光ファイバの側面から放出される光により励起される蛍光体を含有する蛍光体チューブを有する請求項１から請求項４のいずれか一項に記載の照明装置。
【請求項６】
前記チューブはさらに、前記蛍光体チューブの内側に、前記光ファイバの側面との間に隙間を介して前記光ファイバを覆う透光性の透光性チューブを備え、前記透光性チューブの端部から前記光ファイバの他方の端部が突出するように設けられた請求項５に記載の照明装置。
【発明の詳細な説明】
【技術分野】
【０００１】
本開示は、照明装置に関する。
【背景技術】
【０００２】
従来、光ファイバを照明装置に用いることが知られている。例えば、特許文献１には、半導体レーザ（Laser Diode）を光源として用いて、半導体レーザから出射された光を光拡散光ファイバ（Light Diffusing Fiber）に通すことにより、光拡散光ファイバの周囲に位置する被覆層内の蛍光体を励起させて、棒状に拡散する照明光を得る照明システムが記載されている。この照明システムは、光拡散光ファイバの端縁に、光を反射するミラーが設けられている。
特許文献２には、光ファイバの端面に反射膜を形成する発光装置が記載されている。この反射膜は、特許文献１におけるミラーと同様に端縁にて半導体レーザから出射された光を反射して半導体レーザ側に戻るように伝播させるものである。
【先行技術文献】
【特許文献】
【０００３】
【特許文献１】特表２０１４−５３４５６５号公報
【特許文献２】特開２０００−２７５４４４号公報
【発明の概要】
【発明が解決しようとする課題】
【０００４】
従来から特許文献１、２の記載のように、光拡散光ファイバの先端にミラー等を設けて半導体レーザからの光を反射し、光ファイバの端面の光のエネルギを減衰させるものが知られている。
しかしながら、数十ｍＷであった従来の半導体レーザの出力は、近年、例えば約３Ｗ程度にまで高出力化している。このような光源である半導体レーザの高出力化に伴い、光拡散光ファイバの先端面における光のエネルギ密度も、例えば、約０．０１３ｋＷ／ｃｍ２から約１．５ｋＷ／ｃｍ２まで高くなってきている。
【０００５】
このため、光ファイバの先端とミラーとの間の少しの隙間や空間に塵埃や汚れ等が付着すると、その付着物が光を吸収して高熱となり、熱がこもって光ファイバの周辺に配置された部品や光ファイバ自身に劣化が生じるおそれがあった。
本開示に係る実施形態は、構成部品の劣化を少なくすることができる照明装置を提供することを課題とする。
【課題を解決するための手段】
【０００６】
本開示に係る実施形態の照明装置は、光源から出射された光を、一方の端部から導入して、導光中に側面から外部に放出する光ファイバと、光ファイバの側面を、側面との間に隙間を介して覆う透光性を有するチューブと、チューブの内部に少なくとも一部が位置し、光ファイバの他方の端部を、端部との間に空間を介して覆う遮光性を有する筒体と、を備え、筒体の側面に、光ファイバの他方の端部から放出された光を筒体の径方向の外側に位置するチューブへ導光する導光部が設けられている。
【発明の効果】
【０００７】
本開示に係る照明装置によれば、構成部品の劣化を少なくすることができる。
【図面の簡単な説明】
【０００８】
【図１】実施形態に係る照明装置を含む照明システムの全体の構成を模式的に示す断面図である。
【図２】実施形態に係る照明装置の要部の構成を示す分解斜視図である。
【発明を実施するための形態】
【０００９】
以下、本発明の一実施形態について図面を用いて説明する。
本実施形態に係る照明装置を含む照明システムについて、図１および図２を参照して説明する。ただし、以下に示す形態は、本実施形態の技術思想を具現化するための照明装置を例示するものであって、本発明を以下に限定するものではない。また、実施の形態に記載されている構成部品の寸法、材質、形状、その相対的配置等は、特定的な記載がない限り、本発明の範囲をそれのみに限定する趣旨ではなく、単なる例示に過ぎない。そして、図面に示す部材は、説明を明確にするために、大きさや位置関係等を誇張していることがあり、形状を単純化していることがある。また、以下の説明では、同一の名称及び符号については原則として同一または同質の部材を示しており、詳細な説明を適宜省略することとする。
【００１０】
この実施形態の照明装置１は、光源１２からの光を、導光ファイバ４０を用いて導光して発光あるいは照明する発光体３０と、発光体３０に取り付けられる筒体９０とを主に備えている。
【００１１】
光源１２は、半導体レーザ（Laser diode）素子などの半導体発光素子であり、外部からの電力によってレーザ光を出射するものである。そして、光源１２は、光発生装置１０の一部として構成され、光発生装置１０において、駆動回路１４からの入力電力Ｐによって出射するものである。
光源１２には、導光ファイバ４０の一端４０ａが接続されている。導光ファイバ４０の他端４０ｂは、コネクタ２２に接続されている。
そして、光源１２から出射された光により、導光ファイバ４０及びコネクタ２２を介して発光体３０へ向けて出射光が導光されるように構成されている。
【００１２】
発光体３０は、透光性を有するチューブ５０と、光ファイバ８０とを有している。なお、チューブ５０は、ここでは一例として、透光性チューブ６０と蛍光体チューブ７０との二重構造となっている。
コネクタ２２は、導光ファイバ４０と発光体３０の光ファイバ８０とを接続し、導光ファイバ４０からの光を光ファイバ８０に送るものである。このコネクタ２２は、導光ファイバ４０の他端４０ｂからの光を、光ファイバ８０の一方の端部８０ａに入射することができるものであれば、その構成は限定されるものではない。
【００１３】
光ファイバ８０は、導光中に側面から外部に放出する光拡散光ファイバであり、主にコア８２及びクラッド８４を有して構成されている。このうち、コア８２は、主に石英ガラスで構成されていて、延在方向に光を導光するように構成されている。また、クラッド８４は、コア８２と屈折率を相違させてコア８２の外周を覆う樹脂材料で構成されている拡散層であり、透光性を有することによりコア８２内を導光中の光を径方向外側に向けて拡散させて側面８０ｂから外部に放出することができる。
【００１４】
そして、光ファイバ８０は、光発生装置１０から出射された光を一方の端部８０ａから導入して、他方の端部８０ｃから放出するとともに、光ファイバ８０の内部を導光中に側面８０ｂからも光の一部を外部に放出する。
光ファイバ８０の側面８０ｂから放出された光は、隙間１０２及び光ファイバ８０を覆う内側の透光性チューブ６０を透過して、外側の蛍光体チューブ７０に含有された蛍光体に到達して、蛍光体を励起させる。これにより、発光体３０は、光ファイバ８０からの光と蛍光体からの光との双方の光によって、チューブ５０全体を発光させる。
【００１５】
また、光ファイバ８０の他方の端部８０ｃからは、光ファイバ８０内を導光してきた光が外部に向けて放出される。しかしながら、端部８０ｃの近傍では、光のエネルギ密度が高い。このため、光ファイバの端部８０ｃのチューブ５０への接触や、接触しなくてもチューブ５０の耐性以上の光が照射されることにより、チューブ５０に黒化や焼損等の劣化が生じる。チューブ５０の劣化を防止するため、透光性チューブ６０及び蛍光体チューブ７０が端部８０ｃから放出された光によって直接照射されない位置に、透光性チューブ６０及び蛍光体チューブ７０と光ファイバ８０の端部８０ｃから離間して配置されることが好ましい。ここでは、光ファイバ８０の端部８０ｃは、透光性チューブ６０の他方の端部６０ｂから突出させ、筒体９０の内側に配置されるように形成されている。
【００１６】
ここで、光ファイバ８０の端部８０ｃは、筒体９０の内部に透光性チューブ６０の他方の端部６０ｂの位置から所定の寸法Ｌ１だけ突出させている。端部８０ｃが端部６０ｂから突出する寸法Ｌ１は、光ファイバ８０の端部８０ｃから放出された光が、透光性チューブ６０の端部６０ｂに照射されないように設定されている。ここでは、発光体３０の変形等を考慮して、寸法Ｌ１は、０．１〜数ｃｍ程度に設定されていることが好ましい。
【００１７】
蛍光体チューブ７０において、温度上昇によって蛍光体の変換効率が低下する。このため、光ファイバ８０の端部８０ｃは、蛍光体チューブ７０との間に隙間１０２及び透光性チューブ６０を配置させて、光ファイバ８０と蛍光体チューブ７０とを当接しにくくし、光ファイバ８０の熱がチューブ５０の蛍光体チューブ７０に伝わりにくいように構成することが望まれる。
【００１８】
チューブ５０は、内側のチューブとしての透光性チューブ６０と、外側のチューブとしての蛍光体チューブ７０とを備えている。
透光性チューブ６０は、光ファイバ８０の側面８０ｂを、この側面８０ｂとの間に隙間１０２を介して覆うように設置されている。また、透光性チューブ６０は、蛍光体チューブ７０よりも高い透光性を有して、蛍光体チューブ７０の内側で光ファイバ８０との間に介在されている。透光性チューブ６０は、一方の端部６０ａがコネクタ２２に当接してコネクタ２２により支持され、他方の端部６０ｂに筒体９０が対面するように設置されている。そして、透光性チューブ６０は、内挿される光ファイバ８０よりやや短くなるように形成され、透光性を有するポリ塩化ビニル樹脂等の透明材料で形成されている。透光性チューブ６０は、外側を覆う蛍光体チューブ７０よりも短く形成され、他方の端部６０ｂにおいて、蛍光体チューブ７０の端部との長さの差がでるように設置されている。この透光性チューブ６０は、光ファイバ８０が折れにくくなるような保護チューブとしても機能する。なお、透光性チューブ６０と蛍光体チューブ７０の長さの差が生じる部分には、後記する筒体９０が挿入されることになる。
【００１９】
蛍光体チューブ７０は、透光性を有し、光ファイバ８０の側面８０ｂを、光ファイバ８０の側面８０ｂとの間に隙間１０２を介して覆うものである。蛍光体チューブ７０は、光ファイバ８０の側面８０ｂとの間に隙間１０２を介して光ファイバ８０を覆う透光性の透光性チューブ６０を備える場合は、透光性チューブ６０を覆い、透光性チューブ６０よりも長く形成されている。また、蛍光体チューブ７０は、透光性チューブ６０を備える場合、備えない場合のいずれにおいても、光ファイバ８０が折れにくくなるような保護チューブとしても機能する。そして、蛍光体チューブ７０は、光ファイバ８０の側面８０ｂから放出された光により励起される蛍光体を含有している。蛍光体チューブ７０は、柔軟性を有する樹脂材料であることや、リジットなガラス材料であってもよい。樹脂材料としては、例えば、シリコーン樹脂、エポキシ樹脂、フェノール樹脂、ポリカーボネート樹脂、アクリル樹脂、ＴＰＸ樹脂、ポリノルボルネン樹脂、又はこれらの変性樹脂若しくはハイブリッド樹脂が挙げられる。また、ガラス材料としては、例えば、ホウ珪酸ガラス、石英ガラス、サファイアガラス、フッ化カルシウムガラス、アルミノホウ珪酸ガラス、オキシナイトライドガラス、カルコゲナイドガラス等が挙げられる。
【００２０】
また、蛍光体チューブ７０に含有される蛍光体は、この分野で用いられる蛍光体を適宜選択することができる。青色発光素子又は紫外線発光素子で励起可能な蛍光体としては、例えば、セリウムで賦活されたイットリウム・アルミニウム・ガーネット系蛍光体（ＹＡＧ：Ｃｅ）、セリウムで賦活されたルテチウム・アルミニウム・ガーネット系蛍光体（ＬＡＧ：Ｃｅ）、ユウロピウム及び／又はクロムで賦活された窒素含有アルミノ珪酸カルシウム系蛍光体（ＣａＯ−Ａｌ２Ｏ３−ＳｉＯ２：Ｅｕ）、ユウロピウムで賦活されたシリケート系蛍光体（（Ｓｒ，Ｂａ）２ＳｉＯ４：Ｅｕ）、β サイアロン蛍光体、ＣＡＳＮ系蛍光体（ＣａＡｌＳｉＮ３：Ｅｕ）、ＳＣＡＳＮ系蛍光体（（Ｓｒ，Ｃａ）ＡｌＳｉＮ３：Ｅｕ）等の窒化物系蛍光体、ＫＳＦ系蛍光体（Ｋ２ＳｉＦ６：Ｍｎ）、硫化物系蛍光体、量子ドット蛍光体などが挙げられる。これらの蛍光体と、青色発光素子又は紫外線発光素子と組み合わせることにより、様々な色を照射することができる。なお、蛍光体チューブ７０に含有される蛍光体の濃度は、例えば、５〜５０質量％程度である。
【００２１】
蛍光体チューブ７０の他端の内側には、筒体９０が挿入されている。この筒体９０は、光ファイバ８０の光から変わる熱の影響を抑制すると共に、導光部１００において光ファイバ８０からの光を蛍光体チューブ７０側に放出するものである。筒体９０は、円筒形状の側面９１を有していて、一端を開口する開口端９４とするとともに他端を閉口する閉鎖端９２としてキャップ状に形成されている。また、この筒体９０は、側面９１に、光ファイバの他方の端部から放出された光を筒体９０の径方向の外側に位置する蛍光体チューブ７０へ導光する導光部１００を備えている。この導光部１００は、筒体９０の側面９１を径方向に貫通した孔であって、具体的には、導光部１００として側面９１に複数の孔１０１が形成されている。筒体９０は、遮光性を有し、光ファイバ８０の端部８０ｃ側の先端部との間に空間１０４を有し、光ファイバ８０の端部８０ｃが外側から覆われるように設置されている。
筒体９０は、一例として、遮光性を有する金属材料により形成されている。筒体９０の構成材料として、例えば、アルミニウム又はアルミニウム合金、銀、銅などの他の金属または、これらの合金、あるいは耐熱性に優れたセラミック等、他の材料を用いてもよい。なお、筒体９０を、一例として、アルミニウム又はアルミニウム合金とした場合、他の金属又は合金と比較して、青色光（波長が４５０ｎｍ近辺の光）の吸収率が低く、筒体９０の内側面おける光量の減少が抑制されて、孔１０１から外方へ放出される光を有効に活用できる。また、アルミニウム又はアルミニウム合金は、熱伝導性に優れ、発熱分散及び放熱効果が期待できる。さらに加工性が良好で、照明装置１の外観品質を損ねることがない。
【００２２】
筒体９０の側面９１は、透光性チューブ６０とほぼ同じ外径寸法を有している。そして、筒体９０は、閉鎖端９２が蛍光体チューブ７０の他側の端部７０ａより突出するように蛍光体チューブ７０の端部７０ａから挿入されている。筒体９０は、端部７０ａから長手方向に所定の寸法Ｌ２だけ閉鎖端９２を外部に突出させている。これにより、端部８０ｃの正面に位置する閉鎖端９２の内側面は、端部８０ｃから充分離間される。したがって、光ファイバ８０の端部８０ｃから直接光が照射されても閉鎖端９２の内側面に到達する光のエネルギ密度は高くならない。そして、筒体９０は、側面９１の一部および閉鎖端９２が、蛍光体チューブ７０に覆われることなく外部に露出している。このため、放熱効果を高めて蛍光体チューブ７０を冷却することができる。
【００２３】
導光部１００である複数の孔１０１は、軸方向に筒体９０と蛍光体チューブ７０とが重複している側面９１の一部にそれぞれ径方向に貫通するように配置されている。そして、この孔１０１は、同一径、同一寸法の丸孔形状で側面９１の周方向に等間隔で設けられていると共に、軸方向に沿って等間隔に形成されている。また、複数の孔１０１のうち、光ファイバ８０の端部８０ｃから最も近接した位置に形成される孔１０１は、軸方向に所定の距離Ｌ４だけ離間するように形成されている。距離Ｌ４は、端部８０ｃから孔１０１を介して蛍光体チューブに照射されても、蛍光体チューブ７０が劣化しないエネルギ密度となる距離を確保することが好ましい。
【００２４】
なお、筒体９０に設けられた複数の丸孔形状の孔１０１の形状について、特にこれに限らない。例えば、長孔や角孔等、筒体９０の側面９１に位置して、光ファイバ８０の端部８０ｃから放出された光を筒体９０の径方向の外側に位置する蛍光体チューブ７０へ導光するものであれば、形状がどのようなものであってもよい。さらに、径の大きさを相違させた孔を複数配列させ、あるいは、配列を不均等に設定する等、どのような大きさの孔を組み合わせてもよく、孔１０１の形状、数量及び配列が特に限定されるものではない。
【００２５】
この筒体９０は、蛍光体チューブ７０の光源１２とは反対側の端部７０ａから挿入され、蛍光体チューブ７０の内部において、透光性チューブ６０の他方の端部６０ｂと開口端９４とを突き合わせるように配置されている。透光性チューブ６０の他方の端部６０ｂと開口端９４とがつき合わされた位置は、蛍光体チューブ７０の全長のうち、光源１２とは反対側の端部７０ａに近い側にある。ここで、筒体９０の蛍光体チューブ７０内に挿入されている部分、言い換えれば、長手方向において筒体９０が蛍光体チューブ７０と重複して配置されている部分の寸法をＬ３とする。この寸法Ｌ３は、光ファイバ８０の端部８０ｃが筒体９０の閉鎖端９２に対して間隔を空け、光ファイバ８０の端部８０ｃから放出された光が筒体９０で吸収されて生じる熱によって、蛍光体チューブ７０の光変換効率の低下や物理的劣化がおこらない距離であればよい。
【００２６】
そして、光ファイバ８０の端部８０ｃは、筒体９０の開口端９４から内部に挿入された状態で透光性チューブ６０の端部６０ｂから突出する部分の寸法をＬ１とし、突出する光ファイバ８０の端部８０ｃが移動しても筒体９０内に位置するように設けられている。この光ファイバ８０の周囲には、透光性チューブ６０との間に隙間１０２が形成されている。
筒体９０において、光ファイバ８０から放出された光は、空間１０４において筒体９０によって遮られ、導光部１００以外の部分では、蛍光体チューブ７０の内側面を直接照射することはない。また、筒体９０の閉鎖端９２は、閉口され、光ファイバ８０の端部８０ｃから離れて形成されている。これにより、閉鎖端９２から軸方向へ光ファイバ８０の放出光が、特に、光源にレーザ光を用いる場合でも、レーザ光が照明装置１の外部に漏れることが無い為、安全である。
【００２７】
次にこの実施形態の照明装置１の動作について説明する。
本発明の実施形態に係る照明装置１では、光源１２から光を出射させ、導光ファイバ４０内を通過して、コネクタ２２から、発光体３０に導光される。
発光体３０では、光ファイバ８０内を通過する際、光ファイバ８０の側面８０ｂから一部の光が外部に放出されて、透光性チューブ６０の外側に位置する蛍光体チューブ７０の蛍光体を励起させる。
【００２８】
一方、光ファイバ８０に導光された光の一部は、コア８２内を通過して他方の端部８０ｃから筒体９０内の空間１０４に向けて放出される。
光ファイバ８０の他方の端部８０ｃから放出された光は、空間１０４を介して、側面９１及び閉鎖端９２の内側面に照射される。
【００２９】
光ファイバ８０の端部８０ｃと蛍光体チューブ７０との間に介挿される筒体９０は、遮光性を有するアルミニウム又はアルミニウム合金であるため、導光部１００以外の部分において、端部８０ｃからの光を遮り、蛍光体チューブ７０まで直接到達させない。
また、端部８０ｃ近傍の高エネルギ密度光が、透光性チューブ６０及び蛍光体チューブ７０に照射されないため、各チューブが劣化する虞がない。
【００３０】
そして、導光部１００では、端部８０ｃから放出された光が直接または各孔１０１の内周面にて１〜数回反射されて、筒体９０の外側に放出されて外側に位置する蛍光体チューブ７０に到達する。蛍光体チューブ７０に含有された蛍光体は、孔１０１からの光により励起されて発光する。発光体３０は、チューブ５０のうち外側に位置する蛍光体チューブ７０内に蛍光体が散在しているため、チューブ５０全体が発光しているように見える。
【００３１】
さらに、光ファイバ８０の端部８０ｃから、導光部１００の最も近接した位置に形成される孔１０１までの距離は、軸方向で所定の距離Ｌ４を有して離間している。このため、端部８０ｃからの光は距離Ｌ４間で広がり、孔１０１の存在する部分のエネルギ密度を低くすることできる。
【００３２】
また、筒体９０は、熱伝導性に優れた金属、例えば、アルミニウム又はアルミニウム合金によって構成されている。このため、筒体９０からの放熱性が良好で、熱がこもってチューブ５０などの光ファイバ８０の周縁に配置された部品や光ファイバ８０自身に劣化が生じるおそれを減少させることができる。
【００３３】
そして、光ファイバ８０及び導光部１００は、一本の蛍光体チューブ７０で覆われている。蛍光体チューブ７０は、蛍光体を長手方向に略均等に含有している。このため、長手方向で拡散割合が均一な光ファイバ８０を用いることにより、導光部１００から放出された光により蛍光体を同様に発光させて、光量・色を統一したものに近づけることが可能となる。
【００３４】
また、前記したように、透光性チューブ６０の他方の端部６０ｂから光ファイバ８０の他方の端部８０ｃが所定の寸法Ｌ１だけ突出している。このため、光ファイバ８０の端部８０ｃから放出された光が直接に透光性チューブ６０の端部６０ｂを照射することがない。また、光ファイバ８０の端部８０ｃは、筒体９０の内部に位置している。したがって、筒体９０内に寸法Ｌ１だけ挿入された端部８０ｃから放出された光は、孔１０１以外では、筒体９０の側面９１に遮られて、外側に放出されない。
さらに、導光部１００の孔１０１に導光された光は、光ファイバ８０の側面８０ｂから放出された光と同様に、外側の蛍光体チューブ７０に含有された蛍光体を励起させる。
よって、この照明システムの照明装置１は、高エネルギ密度の漏れレーザ光が生じないように防止して、より安全性を向上させることができるとともに、チューブ５０の黒化等、構成部品の劣化を減少させて、照明装置１としての外観を良好な状態で維持することができる。
【００３５】
なお、照明装置のチューブ５０は、蛍光体チューブ７０を二重または三重以上の多重構造のチューブを用いてもよく、透光性チューブ６０は用いなくてもよい。また、筒体９０は、光ファイバ８０の端部８０ｃから最も近接した位置に形成される孔１０１までの距離Ｌ４を設けなくてもよい。さらに、筒体９０は、端部７０ａから長手方向に所定の寸法Ｌ２だけ閉鎖端９２を外部に突出させているが、閉鎖端９２は特に突出していなくてもよい。つまり、筒体９０は、チューブ５０に挿入されたときに、蛍光体チューブ７０の端部７０ａの内側に位置することや、端部７０ａと同等となるような長さに形成してもよい。また、筒体９０の側面９１に形成された孔１０１は、蛍光体チューブ７０と重複している位置の一部あるいは全てに設ける構成であっても構わない。さらに、照明装置１では、透光性チューブ６０と蛍光体チューブ７０との間に隙間をあける構成とすることや、あるいは、隙間を形成しない構成としてもよい。
【産業上の利用可能性】
【００３６】
本開示の実施形態に係る照明装置は、照明装置として利用することができる。例えば、液晶ディスプレイのバックライト光源、各種照明機器、大型ディスプレイ、広告や行き先案内などの各種表示装置、更には、デジタルビデオカメラ、ファクシミリ、コピー機、スキャナなどにおける画像読取装置、プロジェクタ装置など、種々の光源に利用することができる。
【符号の説明】
【００３７】
１      照明装置
１０    光発生装置
１２    光源
３０    発光体
５０    チューブ
６０    透光性チューブ
６０ａ  透光性チューブの端部     
６０ｂ  透光性チューブの端部
７０    蛍光体チューブ
７０ａ  蛍光体チューブの端部
８０    光ファイバ
８０ａ  光ファイバの一方の端部
８０ｂ  光ファイバの側面
８０ｃ  光ファイバの他方の端部
８２    コア
８４    クラッド
９０    筒体
９１    筒体の側面
９２    閉鎖端
９４    開口端
１００  導光部
１０１  孔
１０２  隙間
１０４  空間
【図１】
2018060602.tif 000003
【図２】
2018060602.tif 000004